(57)【要約】【課題】簡易な構成で貯湯タンクユニット内部の異常昇温を抑制することのできる貯湯式給湯機を提供する。【解決手段】側面板と上面板とによって四方及び上方が閉ざされた外装ケースの内部に貯湯タンク１２が収納された貯湯タンクユニット１０を備え、貯湯タンク１２に貯えられた湯を給湯端末へ供給する貯湯式給湯機であって、側面板に設けられた開口部と、開口部を塞いで固定された運搬用の取っ手２０と、を備え、取っ手２０には、外装ケースの内部空間から外部へと連通する孔２が設けられている。好ましくは、取っ手２０は、開口部から外装ケースの内側上方へ向かって突出する凹形状の手掛け部１と、手掛け部１の開口端１ａの周囲に形成され、側面板の外表面に係止されるフランジ部３と、を有し、孔２は、開口端１ｂの高さよりも高い位置となる上面部１ｂに設けられている。【選択図】図３
2012163278.tif 000002
【特許請求の範囲】
【請求項１】
側面板と上面板とによって四方及び上方が閉ざされた外装ケースの内部に貯湯タンクが収納された貯湯タンクユニットを備え、前記貯湯タンクに貯えられた湯を給湯端末へ供給する貯湯式給湯機であって、
前記側面板に設けられた開口部と、
前記開口部を塞いで固定された運搬用の取っ手と、を備え、
前記取っ手には、前記外装ケースの内部空間から外部へと連通する孔が設けられていることを特徴とする貯湯式給湯機。
【請求項２】
前記取っ手は、
前記開口部から前記外装ケースの内側上方へ向かって突出する凹形状の手掛け部と、
前記手掛け部の開口端の周囲に形成され、前記側面板の外表面に係止されるフランジ部と、を有し、
前記孔は、前記開口端の高さよりも高い位置となる前記手掛け部の面上に設けられていることを特徴とする請求項１記載の貯湯式給湯機。
【請求項３】
前記取っ手は、前記側面板の上端部の近傍の領域に配設されていることを特徴とする請求項１または２記載の貯湯式給湯機。
【請求項４】
前記貯湯タンクユニットは、前記外装ケース内部に配置された複数の電子部品で構成される制御部品部を更に備え、
前記取っ手は、前記制御部品部の真上の領域を避けて配置されていることを特徴とする請求項１乃至３の何れか１項記載の貯湯式給湯機。
【請求項５】
前記取っ手は、
前記開口部から前記外装ケースの内側上方へ向かって突出する凹形状の手掛け部と、
前記手掛け部の開口端の周囲に形成され、前記側面板の外表面に係止されるフランジ部と、を有し、
前記孔は、前記フランジ部に設けられていることを特徴とする請求項１乃至４の何れか１項記載の貯湯式給湯機。
【請求項６】
前記孔は、前記外装ケースの内側上方に向かって傾斜して設けられていることを特徴とする請求項５記載の貯湯式給湯機。
【発明の詳細な説明】
【技術分野】
【０００１】
本発明は、貯湯式給湯機に係り、特に、貯湯タンクが収納された貯湯タンクユニットの放熱構造に関する。
【背景技術】
【０００２】
従来、例えば特許文献１には、屋外に設置される空気調和機のインバータおよびアクティブフィルタの効果的な冷却を行う装置が開示されている。この装置では、具体的には、インバータおよび送風機を内蔵した室外機本体とは別に、アクティブフィルタを内蔵したフィルタケースが該室外機の側面に取り付けられている。また、該フィルタケースの下部には空気流入口が設けられ、また該フィルタケースの側面には、室外機と連通する空気流出口が設けられている。このような構成によれば、室外機内に配設された送風機の駆動によって、フィルタケース内に空気流入口から空気流出口への空気の流れが形成されるので、インバータの冷却と併せてアクティブフィルタの冷却を行うことができる。
【先行技術文献】
【特許文献】
【０００３】
【特許文献１】特開２０００−１１１２１６号公報
【特許文献２】特開平１１−１４１５８号公報
【発明の概要】
【発明が解決しようとする課題】
【０００４】
ところで、従来の貯湯式給湯機は、貯湯タンクが収納された貯湯タンクユニットが屋外に設置された場合、夏場の猛暑日や一定時間以上西日が機体に当たり続けた場合などに、機体内部の気温が著しく上昇することが想定される。この場合、機体前面部に設けられた制御部品部が高温になり、基板部品や電気部品等の寿命や性能に影響を及ぼすおそれがある。そこで、機体前面部に直接日光が当たらないように小屋がけをするなどして、直射日光による温度上昇を防ぐ方法も考えられるが、それでは貯湯式給湯機の利用者に経済的負担がかかってしまう。
【０００５】
本発明は、上記のような課題を解決するためになされたもので、簡易な構成で貯湯タンクユニット内部の異常昇温を抑制することのできる貯湯式給湯機を提供することを目的とする。
【課題を解決するための手段】
【０００６】
本発明に係る貯湯式給湯機は、側面板と上面板とによって四方及び上方が閉ざされた外装ケースの内部に貯湯タンクが収納された貯湯タンクユニットを備え、貯湯タンクに貯えられた湯を給湯端末へ供給する貯湯式給湯機であって、側面板に設けられた開口部と、開口部を塞いで固定された運搬用の取っ手と、を備え、取っ手には、外装ケースの内部空間から外部へと連通する孔が設けられていることを特徴とするものである。
【発明の効果】
【０００７】
本発明によれば、貯湯タンクユニット内部の熱を運搬用の取っ手に設けられた孔から外部へ逃すことにより、ユニット内部の異常昇温を抑制することができるので、基板部品や電気部品等の寿命や性能を保持することが可能となる。
【図面の簡単な説明】
【０００８】
【図１】本発明の実施の形態の貯湯式給湯機の貯湯タンクユニットを正面側から見た斜視図である。
【図２】本発明の実施の形態の貯湯式給湯機の貯湯タンクユニットを背面側から見た斜視図である。
【図３】取っ手の詳細な構成を説明するための斜視図である。
【図４】図３に示す取っ手を平面ａで切断した断面図である。
【図５】本発明の実施の形態の貯湯タンクユニット内の空気の流れを説明するための図である。
【図６】図５中において丸で囲まれたｂ部を拡大した図である。
【図７】取っ手の配置の変形例を説明するための図である。
【図８】取っ手の構造の変形例を説明するための斜視図である。
【図９】図８に示す取っ手を平面ｃで切断した断面図である。
【図１０】取っ手の構造の変形例を説明するための斜視図である。
【図１１】図１１（ａ）は、図１０に示す取っ手の正面図であり、図１１（ｂ）は、図１１（ａ）の取っ手２０のｄ−ｄ断面を示す図である。
【発明を実施するための形態】
【０００９】
以下、図面を参照して、本発明の実施の形態について説明する。尚、各図において共通する要素には、同一の符号を付して、重複する説明を省略する。また、この実施の形態により本発明が限定されるものではない。
【００１０】
実施の形態１．
図１は、本発明の実施の形態の貯湯式給湯機の貯湯タンクユニット１０を正面側から見た斜視図である。また、図２は、本発明の実施の形態の貯湯式給湯機の貯湯タンクユニット１０を背面側から見た斜視図である。尚、貯湯式給湯機は、当該貯湯タンクユニット１０の他にヒートポンプユニット等の加熱装置を含むものであるが、本発明は貯湯タンクユニット１０の構造に特徴を有するものであるため、他の要素に関する説明は省略することとする。
【００１１】
図１および図２に示すとおり、貯湯タンクユニット１０には、その周囲に側面板としての正面ケース５０、２枚の側面ケース８０、背面ケース６０と、上面板としての上面ケース７０とが設けられ、これらの外装ケースによって四方および上方が閉じた空間がその内部に形成されている。貯湯タンクユニット１０の外装ケース内には、加熱装置で加熱された湯を貯えるための貯湯タンク（図示省略）が収納されている。
【００１２】
また、図２に示すとおり、背面ケース６０の上端部近傍の領域には、運搬用の取っ手２０が左右２箇所に設けられている。以下、取っ手２０の構成について図を参照して更に詳細に説明する。
【００１３】
図３は、取っ手２０の詳細な構成を説明するための斜視図であり、また、図４は、図３に示す取っ手２０を平面ａで切断した断面図である。図３および図４に示すとおり、取っ手２０は、運搬時に手を掛けるための凹状の手掛け部１と、該手掛け部１の開口端１ａの周囲に形成されたフランジ部３とにより構成されている。手掛け部１は、図３に示すとおり、開口端１ａから斜め上方へと延在する筒型形状をなしており、その最奥部は袋状に閉塞している。また、図３および図４に示すとおり、取っ手２０における手掛け部１の上面部１ｂには、複数の孔２（図では５個）が設けられている。
【００１４】
取っ手２０を背面ケース６０に取り付ける際には、手掛け部１が背面ケース６０に設けられた開口部に挿入される。フランジ部３は、取り付け時に背面ケース６０の外表面に係止される部位であり、その１辺には、取っ手２０を背面ケース６０にネジ止めして固定するためのネジ穴４が空けられている。
【００１５】
ここで、取っ手２０の基本機能は、貯湯タンクユニット１０を寝かせた状態で２人で運搬する際に、貯湯タンクユニット１０の正面ケース５０を上にして、一方が貯湯タンクユニット１０の下部に設けられた機体脚を、もう一方が貯湯タンクユニット１０の背面上部に２箇所設けられた取っ手２０に左右の手をそれぞれ挿入して運搬するためのものである。
【００１６】
本実施の形態の貯湯式給湯機は、当該取っ手２０に排熱機能を持たせた点に特徴を有している。図５は、本発明の実施の形態の貯湯タンクユニット１０内の空気の流れを説明するための図である。尚、この図中の矢印は、該貯湯タンクユニット１０内の空気の流れを表している。この図に示すとおり、貯湯タンクユニット１０内は、その大半の容積を貯湯タンク１２が占め、また、正面ケース５０に面した小空間には制御部品部１４や配管１６等が配置されている。このため、猛暑による気温高や直射日光などにより制御部品部１４の周辺温度が上昇した場合、もし、貯湯タンクユニット１０の上方向が密閉された空間となっていたら、貯湯タンク１２や配管１６等によって空気の通路が制限されていることもあり、制御部品部１４の周辺の換気が円滑に行われないことが想定される。
【００１７】
そこで、本実施の形態の貯湯タンクユニット１０では、取っ手２０に外部空間と連通する孔２を設ける構成としている。図６は、図５中において丸で囲まれたｂ部を拡大した図である。図５および図６に示すとおり、本実施の形態の貯湯タンクユニット１０では、ユニット内を上昇してきた温度の高い空気が、当該取っ手２０の孔２を通過して外部空間へ排気される。これにより、機体の下部の隙間から当該取っ手２０の孔２へと向かう空気の流れを活発化させることができるので、機体の下部の隙間から温度の低い空気を有効に取り込み、制御部品部１４の周辺温度が上昇する事態を有効に防ぐことができる。
【００１８】
また、上述したとおり、本実施の形態の取っ手２０は、手掛け部１の上面部１ｂに孔２が設けられている。このため、雨天時において当該孔２から雨水が浸入する事態を有効に防ぐことができる。
【００１９】
ところで、上述した実施の形態の貯湯式給湯機では、取っ手２０の上面部１ｂに孔２を設けることとしているが、孔２の配置はこれに限られない。すなわち、雨水の浸入を防ぐことができる位置であれば、例えば、取っ手２０を取り付けた状態で開口端１ａよりも高い位置となる面に配置することとしてもよい。また、孔２の数についても特に限定はなく、取っ手２０を取り付ける貯湯タンクユニットの放熱性能、雨水の浸入可能性（設置環境等）、および取っ手２０の強度等を考慮した上で適宜決定すればよい。
【００２０】
また、本実施の形態の貯湯タンクユニット１０では、取っ手２０を背面ケース６０の上端部近傍の領域に取り付けることとしているが、運搬時に用いる取っ手としての本来の機能、放熱機能、更には防雨機能を満足できる位置であれば特に限定しない。具体的には、運搬時の取っ手としての機能の観点からは、例えば、ユニットの重心高さより高い位置であって、また手を掛け易い配置であることが好ましい。また、放熱機能の観点からは、熱気が溜まるユニットの上部の領域であって、また、より複数箇所に取っ手を取り付けることが好ましい。また、防雨の観点からは、雨がかかり難い配置として、例えば設置した際に壁側となる背面ケース６０に配置することが好ましい。また、万一孔２から雨水が浸入した場合に、制御部品部１４に雨水がかからないように、例えば、制御部品部１４の真上となる領域を避けて配置することが好ましい。図７は、取っ手２０の配置の変形例を説明するための図である。この図に示す例では、貯湯タンクユニット１０の重心高さより高い位置となる側面ケース８０の領域に取っ手２０を３箇所取り付けることとしている。このような配置にすることで、取っ手としての本来の機能を果しつつ、放熱機能および防雨機能を実現することが可能となる。
【００２１】
また、本実施の形態の貯湯タンクユニット１０では、雨水の浸入を防ぐために取っ手２０の上面部１ｂに孔２を設けることとしている。しかしながら、例えば、貯湯タンクユニット１０を雨のかからない場所に設置する場合や、貯湯タンクユニット１０内に浸入した雨水を確実に排水溝へ導ける場合等、他の方法によって防雨対策が図れているのであれば、放熱性能を更に高めるべく孔２を上面部１ｂ以外の箇所に設けることとしてもよい。図８は、取っ手２０の構造の変形例を説明するための斜視図であり、また、図９は、図８に示す取っ手２０を平面ｃで切断した断面図である。図８および図９に示すとおり、取っ手２０は、上面部１ｂに設けられた孔２に加えて、下面部１ｃに孔６を複数（図では５個）設けることとしている。これにより、取っ手２０からの排熱機能を有効に高めることができる。
【００２２】
また、本実施の形態の貯湯タンクユニット１０では、取っ手２０の上面部１ｂに孔２を設けることとしているが、フランジ部３に孔を設け、これに対応する背面ケース６０側にも孔を設けることにより外部と連通するように構成してもよい。図１０は、取っ手２０の構造の変形例を説明するための斜視図である。また、図１１（ａ）は、図１０に示す取っ手２０の正面図であり、図１１（ｂ）は、図１１（ａ）の取っ手２０のｄ−ｄ断面を示す図である。図１０および図１１に示すとおり、これら図に示す取っ手２０では、フランジ部３の面上に複数の孔７が設けられている。このような構成によれば、貯湯タンクユニット１０内の熱を孔７から有効に排気することができる。また、図１１（ｂ）に示すとおり、孔７は、フランジ部３の外側面から内側面に向かって斜め上方に傾いて形成されている。このような構成によれば、当該孔７から雨水が浸入する事態を有効に抑止することが可能となる。
【符号の説明】
【００２３】
１  手掛け部
２，６，７  孔
３  フランジ部
４  穴
５  端面部
１０  貯湯タンクユニット
１２  貯湯タンク
１４  制御部品部
２０  取っ手
５０  正面ケース（側面板）
６０  背面ケース（側面板）
７０  上面ケース（上面板）
８０  側面ケース（側面板）
【図１】
2012163278.tif 000003
【図２】
2012163278.tif 000004
【図３】
2012163278.tif 000005
【図４】
2012163278.tif 000006
【図５】
2012163278.tif 000007
【図６】
2012163278.tif 000008
【図７】
2012163278.tif 000009
【図８】
2012163278.tif 000010
【図９】
2012163278.tif 000011
【図１０】
2012163278.tif 000012
【図１１】
2012163278.tif 000013